【手続補正書】
【提出日】平成26年4月9日(2014.4.9)
【手続補正１】
【補正対象書類名】明細書
【補正対象項目名】００６６
【補正方法】変更
【補正の内容】
【００６６】
別の実施形態において、使用方法の請求項には、個々の成分のモル比など、様々な組成の組合せが含まれる。更なる実施形態では、請求項に記載された使用方法には、従属請求項の組合せが含まれる。更なる実施形態では、特定成分の範囲又はそれと均等なものに、その範囲内に入る個々の成分（単数又は複数）が含まれるものとする。
以上説明した本発明の要旨を、種々の実施形態とともに示すと、次のとおりである。
（１）ＡＡ−ＡＭＰＳコポリマーとＰＭＡとを含む組成物。
（２）前記ＡＡ−ＡＭＰＳコポリマーが活性物質を基準にして５〜４０重量パーセントであり、ＰＭＡが活性物質を基準にして５〜４０重量パーセントである、上記（１）に記載の組成物。
（３）前記ＡＡ−ＡＭＰＳコポリマーが活性物質を基準にして１３重量パーセントであり、ＰＭＡが活性物質を基準にして１８重量パーセントである、上記（１）に記載の組成物。
（４）有効量の蛍光体を更に含み、任意選択的に該蛍光体が少なくともＰＴＳＡを含有する、上記（１）に記載の組成物。
（５）前記ＰＴＳＡが活性物質を基準にして０．１〜０．８重量パーセントである、上記（４）に記載の組成物。
（６）当該組成物が１種以上のリン化合物を排除している、上記（１）に記載の組成物。
（７）前記ＡＡ−ＡＭＰＳコポリマーはＡＡコモノマーとＡＭＰＳコモノマーとのモル比が２：９８〜９８：２である、上記（１）に記載の組成物。
（８）前記ＡＡ−ＡＭＰＳコポリマーは重量平均分子量が約１，０００〜約１００，０００ダルトンである、上記（１）に記載の組成物。
（９）ＰＭＡの分子量が４００〜５０，０００ダルトンである、上記（１）に記載の組成物。
（１０）膜システムを通過する供給流からスケールが生成及び堆積するのを抑制する方法であって、
ｃ．該供給流のｐＨを約７．０と約１０の間の範囲内に随意に制御する工程、
ｄ．該膜システムがＲＯシステム、ＮＦシステム、ＥＤシステム、ＥＤＩシステム又はそれらの組合せである場合に、該供給流の温度を約５℃〜約４０℃の間の範囲内に随意に制御する工程、
ｅ．該膜システムがＭＤシステムである場合に、該供給流の温度を約４０℃と約８０℃の間の範囲内に随意に制御する工程、及び
ｆ．上記（１）に記載の組成物の有効量を該供給流に添加する工程、
を含む、スケールの生成及び堆積抑制方法。
（１１）前記組成物から１種以上のリン化合物が排除されている、上記（１０）に記載の方法。
（１２）前記ＡＡ−ＡＭＰＳコポリマーが活性物質を基準にして５〜４０重量パーセントであり、ＰＭＡが活性物質を基準にして５〜４０重量パーセントである、上記（１０）に記載の方法。
（１３）前記ＡＡ−ＡＭＰＳコポリマーが活性物質を基準にして１３重量パーセントであり、ＰＭＡが活性物質を基準にして１８重量パーセントである、上記（１０）に記載の方法。
（１４）上記（１）に記載の前記組成物が１種以上の蛍光体の有効量を更に含んでいて、任意選択的に該蛍光体が少なくともＰＴＳＡを含有している、上記（１０）に記載の方法。
（１５）前記組成物の前記有効量がポリマー活性物質を基準にして約０．０１ｐｐｍ〜約３０ｐｐｍである、上記（１０）に記載の方法。
（１６）ＰＭＡの分子量が４００〜５０，０００ダルトンである、上記（１０）に記載の方法。
（１７）膜システムを通過する供給流から炭酸カルシウムスケールが生成及び堆積するのを抑制する方法であって、
ａ．該供給流のｐＨを約７．０と約１０の間の範囲内に随意に制御する工程、
ｂ．該膜システムがＲＯシステム、ＮＦシステム、ＥＤシステム、ＥＤＩシステム又はそれらの組合せである場合に、該供給流の温度を約５℃〜約４０℃の間の範囲内に随意に制御する工程、
ｃ．該膜システムがＭＤシステムである場合に、該供給流の温度を約４０℃と約８０℃の間の範囲内に随意に制御する工程、及び
ｄ．上記（１）に記載の組成物の有効量を該供給流に添加する工程、
を含む、炭酸カルシウムスケールの生成及び堆積抑制方法。
（１８）供給流のＴＤＳが２００〜４０，０００ｐｐｍの間である、上記（１０）に記載の方法。
（１９）供給流のＴＤＳが２００〜２０，０００ｐｐｍの間である、上記（１０）に記載の方法。
（２０）ＡＡ−ＡＭＰＳコポリマーとＰＭＡとの配合物に対してＰＴＳＡを既知の割合で添加する上記（１４）に記載の方法であって、当該方法が、該ＰＴＳＡの蛍光を測定する工程、該ＰＴＳＡの蛍光を該ＡＡ−ＡＭＰＳコポリマーとＰＭＡとの配合物の濃度と相関させる工程、及び前記供給流中のＡＡ−ＡＭＰＳコポリマー及びＰＭＡの量について規定された１以上の設定点の値に応じて該ＡＡ−ＡＭＰＳコポリマー及びＰＭＡの供給を調整する工程を更に含む、上記（１４）に記載の方法。
（２１）前記コポリマーを蛍光体で標識付けし、そして任意選択的に該蛍光体の蛍光を前記供給流中で測定し、任意選択的に該標識付けしたコポリマーの蛍光を該標識付けしたコポリマーの濃度と相関づけ、該標識付けしたコポリマーの蛍光によって決定された前記供給流中のＡＡ−ＡＭＰＳコポリマー及びＰＭＡの量について規定された１以上の設定点の値に応じて該ＡＡ−ＡＭＰＳコポリマー及びＰＭＡの供給を任意選択的に調整する、上記（２０）に記載の方法。
（２２）ＡＡ−ＡＭＰＳコポリマー及びＰＭＡの配合物に対して蛍光体を既知の割合で添加する上記（１０）に記載の方法であって、当該方法が、該蛍光体の蛍光を測定する工程、該蛍光体の蛍光を該ＡＡ−ＡＭＰＳコポリマー及びＰＭＡの配合物の濃度と相関させる工程、及び前記供給流中のＡＡ−ＡＭＰＳコポリマー及びＰＭＡの量について規定された１以上の設定点の値に応じて該ＡＡ−ＡＭＰＳコポリマー及びＰＭＡの供給を調整する工程を更に含む、上記（１０）に記載の方法。
（２３）前記コポリマーを蛍光体で標識付けし、任意選択的に該蛍光体の蛍光を前記供給流中で測定し、任意選択的に該標識付けしたコポリマーの蛍光を該標識付けしたコポリマーの濃度と相関づけし、該標識付けしたコポリマーの蛍光によって決定された前記供給流中のＡＡ−ＡＭＰＳコポリマー及びＰＭＡの量について規定された１以上の設定点の値に応じて該ＡＡ−ＡＭＰＳコポリマー及びＰＭＡの供給を任意選択的に調整する、上記（１０）に記載の方法。
（２４）前記コポリマーを蛍光体で標識付けし、任意選択的に前記コポリマーに標識付けした該蛍光体の蛍光を前記供給流中で測定し、任意選択的に該標識付けしたコポリマーの蛍光を該標識付けしたコポリマーの濃度と相関づけし、該標識付けしたコポリマーの蛍光によって決定された前記供給流中のＡＡ−ＡＭＰＳコポリマー及びＰＭＡの量について規定された１以上の設定点の値に応じて該ＡＡ−ＡＭＰＳコポリマー及びＰＭＡの供給を任意選択的に調整する、上記（２２）に記載の方法。
（２５）前記コポリマーを１以上の分析機器又は方法によって監視することが可能な１種以上の化学種により標識付けする、上記（１）に記載の組成物。
（２６）前記化学種が蛍光体である、上記（２５）に記載の組成物。
（２７）前記標識化学種が、少なくとも次のモノマー、すなわち、４−メトキシ−Ｎ−（３−Ｎ’，Ｎ’−ジメチルアミノプロピル）ナフタルイミド、２−ヒドロキシ−３−アリルオキシ−プロピル第四級塩を含有する、上記（２５）に記載の組成物。
（２８）１以上の分析機器又は方法によって監視することが可能な１種以上の化学種により標識付けされたコポリマーを更に含む、上記（４）に記載の組成物。
【手続補正２】
【補正対象書類名】特許請求の範囲
【補正対象項目名】全文
【補正方法】変更
【補正の内容】
【特許請求の範囲】
【請求項１】
ＡＡ−ＡＭＰＳコポリマーとＰＭＡとを含む組成物。
【請求項２】
膜システムを通過する供給流からスケールが生成及び堆積するのを抑制する方法であって、
ｃ．該供給流のｐＨを約７．０と約１０の間の範囲内に随意に制御する工程、
ｄ．該膜システムがＲＯシステム、ＮＦシステム、ＥＤシステム、ＥＤＩシステム又はそれらの組合せである場合に、該供給流の温度を約５℃〜約４０℃の間の範囲内に随意に制御する工程、
ｅ．該膜システムがＭＤシステムである場合に、該供給流の温度を約４０℃と約８０℃の間の範囲内に随意に制御する工程、及び
ｆ．請求項１に記載の組成物の有効量を該供給流に添加する工程、
を含む、スケールの生成及び堆積抑制方法。
【請求項３】
膜システムを通過する供給流から炭酸カルシウムスケールが生成及び堆積するのを抑制する方法であって、
ａ．該供給流のｐＨを約７．０と約１０の間の範囲内に随意に制御する工程、
ｂ．該膜システムがＲＯシステム、ＮＦシステム、ＥＤシステム、ＥＤＩシステム又はそれらの組合せである場合に、該供給流の温度を約５℃〜約４０℃の間の範囲内に随意に制御する工程、
ｃ．該膜システムがＭＤシステムである場合に、該供給流の温度を約４０℃と約８０℃の間の範囲内に随意に制御する工程、及び
ｄ．請求項１に記載の組成物の有効量を該供給流に添加する工程、
を含む、炭酸カルシウムスケールの生成及び堆積抑制方法。